(57)【要約】【課題】単に黒曜石パーライトを用いたものに比べ、断熱性能、保温性能に優れた黒曜石パーライトパネルを提供する。【解決手段】パネル３は、黒曜石パーライトの集合物に少なくとも接着剤を混ぜ合わせた混合物に圧力を加えて、板状に固め、黒曜石パーライト間にできる隙間によって形成される通孔であって表面から裏面に少なくとも通じる複数の通孔が維持される範囲内で押し固めたものである。【選択図】  図１
2016037754.tif 000002
【特許請求の範囲】
【請求項１】
黒曜石パーライトの集合物に少なくとも接着剤を混ぜ合わせた混合物に圧力を加えて、板状に固め、前記黒曜石パーライト間にできる隙間によって形成される通孔であって表面から裏面に少なくとも通じる複数の通孔が維持される範囲内で押し固めたことを特徴とするパネル。
【請求項２】
請求項１に記載のパネルにおいて、
磁石によって吸着可能な吸着物を備えることを特徴とするパネル。
【請求項３】
請求項１〜２のいずれか１項で用いられるパネルであって、
前記黒曜石パーライトの集合物の体積が、押し固める前の１／２〜２／３の体積となるように押し固めたことを特徴とするパネル。
【請求項４】
請求項１〜３のいずれか一項に記載のパネルにおいて、
樹脂、木材、布、紙、鉄又はステンレス鋼のいずれかからなる箱内に収納されていることを特徴とするパネル。
【請求項５】
請求項１〜４のいずれか一項に記載のパネルにおいて、
銀、銅、大谷石、ゼオライト、炭、光触媒の少なくともいずれかを混ぜ合わせた前記混合物を板状に固めたことを特徴とするパネル。
【発明の詳細な説明】
【技術分野】
【０００１】
本発明は、断熱性、保温性に優れたパネルに関する。
【背景技術】
【０００２】
従来、断熱性、保温性に優れたパネルを構成する材料として、発砲スチロールや各種パーライトが用いられている。
【発明の概要】
【発明が解決しようとする課題】
【０００３】
しかし、省エネルギーの要請から、より一層の断熱性、保温性に優れたパネルが用いられている。
そのため、断熱性、保温性に優れた黒曜石パーライトを用いることも考えられたが、その性能を十分に発揮し得る態様で用いられていない。
【０００４】
そこで、本発明では、単に黒曜石パーライトを用いたものに比べ、断熱性能、保温性能に優れた黒曜石パーライトパネルを提供することを目的とする。
【課題を解決するための手段】
【０００５】
本発明の一側面であるパネルは、黒曜石パーライトの集合物に少なくとも接着剤を混ぜ合わせた混合物に圧力を加えて板状に固め、前記黒曜石パーライト間にできる隙間によって形成される通孔であって表面から裏面に少なくとも通じる複数の通孔が維持される範囲内で押し固めたものである。
【０００６】
ところで、すべての黒曜石パーライトを密着させようとすると、黒曜石パーライトが持っている独立気泡構造が破壊されてしまい、断熱性能、保温性能が落ちる。
しかし、本発明では、黒曜石パーライトは完全には密着させず、複数の通孔が維持される範囲内で、かつ、混合物を板状に固めるのに必要な圧力を持って固められている。
【０００７】
このようにすると、一見、通孔によって断熱性能等が落ちるように思われるが、このパネルを用いて形成した箱の中にお湯（ポリタンク等に入れたもの）を入れた場合、他の材料で形成した箱の中にお湯を入れた場合に比べて、格段に優れた断熱性能等を示した。
【０００８】
したがって、本発明によると、断熱性能や保温性能に優れたパネルを提供することができる。
尚、黒曜石パーライトは、黒曜石を所定温度で焼成することにより形成されるものだが、この焼成の際、黒曜石内に含まれる水分（以下、結晶水と呼ぶ）が真珠岩等他のパーライトを構成するものに比べ少ないため、この結晶水が水蒸気となって膨張しても暴発せず、それぞれが独立した小部屋を形成する。このような構造を独立気泡構造と呼ぶ。
【０００９】
次に、パネルには、磁石によって吸着可能な吸着物を備えるようにしてもよい。吸着物は粉状のものや、板状のものでもよい。板状のものであれば、例えば鉄板等をパネル内に埋設あるいはパネル表面に取り付けてもよい。また、粉状のものであれば、混合物に吸着物を混ぜてパネルを構成してもよい。また、周囲に鉄板等を巻き付けてもよい。吸着物として磁石を用いてもよい。
【００１０】
このパネルを用いると、例えば、磁石等が埋設された壁等に近づけるだけで、パネルを壁に設置することができる。
次に、パネルは、黒曜石パーライトの集合物の体積が、押し固める前の１／２〜１／３の体積となるように押し固めるとよい。
【００１１】
押し固める力が弱いと板を構成できず、押し固めすぎると通孔がつぶれ、黒曜石パーライトの独立気泡構造も破壊されてしまうからである。
次に、パネルは、樹脂、木材、布、紙、鉄又はステンレス鋼のいずれかからなる箱内に収納して用いてもよい。
【００１２】
箱内に収納せずに、黒曜石パーライトで形成されたパネルを裸のままで組み合わせてもよいが、この場合、黒曜石パーライト同士が当たってしまうので、パネルの表面は必ずしも滑らかではない。そのため、パネル同士を組み合わせ難い。
【００１３】
そのため、本発明のようにすれば、パネルを組み合わせて壁や箱等を組み立てるときに、箱の表面はパネルを裸で用いた場合に比べ滑らかなので、スムーズに組み立てることができる。
【００１４】
また、布等の通気性の素材を用いれてもよい。
尚、箱としては、パネルを完全に覆ってしまうものを用いてもよいが、散点的に孔があいたものを用いてもよい。
【００１５】
次に、パネルは、銀、銅、大谷石、ゼオライト、炭、光触媒の少なくともいずれかを混ぜ合わせた混合物を板状に固めたものであってもよい。
パネルにこれらを混ぜ合わせると、それぞれの物質に対応した効能を追加することができる。
【図面の簡単な説明】
【００１６】
【図１】図１（Ａ）は、箱に収納された本実施形態のパネルである収納パネルの斜視図であり、パネルを収納した箱の一部を切り欠いた図面である。図１（Ｂ）は、本実施形態の収納パネルの断面図（図１（Ａ）のＩ−Ｉ断面図）で、収納パネルが取り付けられる壁等を点線で示している。
【図２】本実施形態の収納パネルの断熱性能試験の結果を示すグラフである。
【図３】本実施形態の収納パネルの変形例の模式断面図である。
【発明を実施するための形態】
【００１７】
以下に本発明の実施形態を図面と共に説明する。
本実施形態の収納パネル１は、図１に示すように、主に黒曜石パーライトで構成されたパネル３と、樹脂製の箱５とを備えている。
【００１８】
パネル３は、立方体形状に形成されており、黒曜石パーライトと植物糊と、銀粉と、銅粉とを混ぜ合わせた混合物に圧力を加えて板状に固めたものである。
このパネル３は、黒曜石パーライトの集合物の体積が、押し固める前の１／２〜２／３の体積となるように押し固められる。すると、黒曜石パーライト間にできる隙間によって形成される通孔であって表面から裏面に少なくとも通じる複数の通孔が維持される範囲内で押し固められることとなる。
【００１９】
また、このパネル３には、図１（Ｂ）に示すように、混合物を押し固めたときに、厚み方向に垂直な２つの面のうち一方の面（表面か裏面かいずれか一方の面）に片寄らせた部分に位置するように、鉄板３０が予め内部に埋設されている。
【００２０】
このパネル３は、混合物を押し固めると早く乾燥するが、内部が乾燥しにくい。そのため、その後、六方より熱を加えて乾燥させる必要がある。植物糊の保水性のため、乾燥し難いためである。尚、圧力を加えながら熱を加えてもよい。
【００２１】
箱５は、図１（Ａ）に示すように、樹脂で構成され、中空に形成された直方体形状の箱である。この箱５は、パネル３を隙間なく囲うことができる形状および大きさに形成されている。
【００２２】
また箱５は、表面と裏面に散点的に孔部５０が形成されている。
以上のように構成された収納パネル１は、図１（Ｂ）に示すように、磁石等を埋めた壁に、鉄板３０が埋設された側を向けて近づけると、壁に収納パネル１が取り付けられる。
【００２３】
そして、このようにして収納パネル１を壁全体に収納パネル１を取り付けると、収納パネル１の断熱性能により、その壁で囲まれた部屋等が保温される。
また、本実施形態のパネル３は、植物糊を用いているので、解体するとき、お湯で洗い流せば黒曜石パーライトを再利用することができる。
【００２４】
また、本実施形態のパネル３は銀や銅を入れることにより抗菌ができる。パネル３は、接着剤を含んでいるため、圧力を加えると気密性が高くなるが、通孔ができる程度に押し固めているので、この通孔を介して抗菌が可能となる。
【００２５】
また、本実施形態のパネル３は、箱５に複数の孔部５０が形成されているので、箱５に入れても抗菌ができる。
次に、本実施形態で用いるパネル３が有する蓄熱蓄冷効果について検証したので、以下説明する。
【００２６】
この実験は屋外で行い、図２に示すように、実験開始日の午前８時３０分から２時間おきに２日間、外気の温度と実験対象内の温度とを測定した。
実験対象は、（１）黒曜石パーライトに変えて真珠岩パーライトを用いてパネルを構成し、このパネルで１００Ｌのポリタンクの周囲を囲ったもの、（２）発砲スチロールで、１００Ｌのポリタンクの周囲を囲ったもののである。
【００２７】
（３）〜（５）は、黒曜石パーライトを用いたパネル３で１００Ｌのポリタンクの周囲を囲ったものであるが、（３）は、直径１ｍｍ以下の黒曜石パーライト粉を固めてパネル状にしたもので囲ったもの、（４）は直径１ｍｍ〜１０ｍｍの黒曜石パーライトで形成したパネル３で囲ったもの、（５）は直径１０ｍｍ〜５０ｍｍの黒曜石パーライトで形成したパネル３で囲ったものである。
【００２８】
尚、（６）は外気温である。
また、それぞれの実験対象には６５℃の温水１００Ｌを給水した。
（１）および（２）は、実験終了までの５４時間の間に、貯留していた温水の温度が約２０℃まで下がった。
【００２９】
また、実験終了までの５４時間の間に（３）〜（５）に貯留していた温水の温度も下がったが、（３）が最も温度が低く、以下（４）（５）の順に温度が高くなる傾向を示した。
【００３０】
このように、本実施形態の収納パネル１が備えるパネル３は、一見、通孔によって断熱性能等が落ちるように思われるが、このパネル３を用いて形成した箱の中にお湯（ポリタンク等に入れたもの）を入れた場合、他の材料で形成した箱の中にお湯を入れた場合に比べて、格段に優れた断熱性能等を示す。
［他の実施形態］
以上、実施形態について説明したが、特許請求の範囲に記載された発明は、上記実施形態に限定されることなく、種々の形態を採り得ることは言うまでもない。
【００３１】
（１）上記実施形態で説明した収納パネル１はあくまでも一例であり、これに限定されるものではない。
（２）上記実施形態では、パネル３内に鉄板３０を埋設したものについて説明したが、例えば、金具や両面テープ、面ファスナーなどを用いて壁に取り付けてもよい。両面テープや面ファスナーを用いることができるのは、パネル３が、比重が小さい黒曜石パーライトを用いているからである。
【００３２】
（３）上記実施形態では、接着剤として植物糊を用いたが、化学系の接着剤を用いてもよい。
（４）上記実施形態では、混合物中に銀、銅を混ぜ合わせていたが、大谷石、ゼオライ ト、炭の粉、光触媒、化学物質などのニオイを取る物質など、用途に応じて、混ぜ合わせる物質を変更してもよい。
【００３３】
これらを用い、例えば、植物、肉、魚などから発生するメタン、二酸化炭素、ニオイなどのガス物質を吸着および分解する機能を持たせたパネル３を製造してもよい。
（５）上記実施形態では、箱５として樹脂製のものを用いたが、用途に応じて、ステンレス鋼板、鉄などの金属板、ダンボール等を用いて形成してもよい。また、布、不織布等でパネル３を包み込んでもよい。
【００３４】
パネル３は、用途によっては、水中や氷中で用いることがあるので、それぞれの場所でどのような材料を用いて箱５を形成するかは自由である。
箱５を構成する材料としてパンチングパネルを用いてもよい。
【００３５】
（６）上記実施形態の用途例としては、水中タンク内、コンテナの内装、建築材の壁、 床、天井、食品の保温保冷庫の壁面に取り付ける用途が挙げられるが、これらに限られるものではない。
【００３６】
保冷ボックスの外と内に取り付けてもよい。
（７）上記実施形態では、混合物に銀と銅を混ぜ合わせていたが、さらに、大谷石、 炭、ゼオライトを混ぜ合わせることによって形成されたパネル３(厚み１０cm)で箱を作り、この箱の中に野菜 (ほうれん草、小松菜、ブロッコリー) を入れ、培養室内の温度 を３０℃にして実験を行った。
【００３７】
この実験では、２週間を経過しても野菜は腐ることなく保存できた。
また、上記と同じ箱で、箱の中に袋に包み込んだ氷を入れ、箱の中の温度を４℃とし、外部の温度が６℃の条件で実験した場合、箱の中の野菜（ほうれん草、小松菜、ブロッコリー）は、２日間新鮮さを保った。
【００３８】
（８）上記実施形態では、鉄板３０をパネル３内に埋め込んだが、磁石を埋め込んでもよい。（鉄板３０および磁石は本発明の吸着物に相当する）
（９）上記実施形態では、直方体形状のパネル３について説明したが、パネル３は例えば、図３に示すように、円筒を軸の中心を通る平面で切った形状としてもよい。その場合、円周方向の両端に磁石３２を設置し、対になるパネルと磁石を介して磁着することで、軸中心部を通るパイプ等を保温することができる。
【符号の説明】
【００３９】
１… 収納パネル  ３… パネル  ５…箱  ３０… 鉄板  ３２… 磁石  ５０… 孔部
【図１】
2016037754.tif 000003
【図２】
2016037754.tif 000004
【図３】
2016037754.tif 000005